(57)【要約】      （修正有）【課題】使用者のレベルに応じたエクササイズを行える折り畳み式スライドボードエクササイズマシンを提供する。【解決手段】前後に円弧状を成すダブルレール式レールバー３を具え、該レールバーにプーリを介してスライド自在にマットフレーム４が設けられ、マットフレームの上部に球軸受を介して旋回可能なマット５が設けられ、レールバーの上端に枢接シート３０を介して上端左右にアームレストが固定された前支持フレーム１が取付けられ、前支持フレームの底端とレールバー上端の間が連接棒１１で接続され、レールバーの後端に固定された後支持フレーム２とその上の旋回調整可能な支持足２０が組み合わされ、前が高く後ろが低い傾斜状或いは直立状に地面に支持される。前支持フレームの、枢設シートを突き抜けた長さを調整することで、前が高く後ろが低い異なる傾斜状に地面上に支持できる。【選択図】図１
0003172691.tif 000002
【実用新案登録請求の範囲】
【請求項１】
折り畳み式スライドボードエクササイズマシンにおいて、前支持フレーム（１）、後支持フレーム（２）、ダブルレール式レールバー（３）、マットフレーム（４）及びマット（５）が組み合わされてなり、該ダブルレール式レールバー（３）は円弧状を成し、その上にプーリを介してスライド自在にマットフレーム（４）が組み合わされ、並びに調節つまみ（４０）でスライドの摩擦力の大きさが調整可能とされ、該ダブルレール式レールバー（３）の上端に枢接シート（３０）を介して上端左右にアームレスト（１０）とグリップ（１２）が固定された該前支持フレーム（１）が取付けられ、該前支持フレーム（１）の底端と該ダブルレール式レールバー（３）上端の間が連接棒（１１）で連接され、該ダブルレール式レールバー（３）の後端に固定された該後支持フレーム（２）が組み合わされ、調整可能にボルト（１００）で該前支持フレーム（１）が固定されて、前が高く後ろが低い異なる傾斜状に地面上に支持されることを特徴とする、折り畳み式スライドボードエクササイズマシン。
【請求項２】
請求項１記載の折り畳み式スライドボードエクササイズマシンにおいて、該マットフレーム（４）の上部に球軸受（４１）を介して、回転自在なマット（５）が枢接され、該マット（５）はボルトでロック可能とされたことを特徴とする、折り畳み式スライドボードエクササイズマシン。
【請求項３】
請求項１記載の折り畳み式スライドボードエクササイズマシンにおいて、該後支持フレーム（２）に旋回調整して固定可能な支持足（２０）が設けられ、該支持足（２０）が展開されて固定されて、枢接シート（３０）で前支持フレーム（１）が折り畳まれた全体のフレームが該支持足（２０）により直立状に支持されることを特徴とする、折り畳み式スライドボードエクササイズマシン。
【請求項４】
請求項１記載の折り畳み式スライドボードエクササイズマシンにおいて、該前支持フレーム（１）の上端、連接棒（１１）及びダブルレール式レールバー（３）の上端間に、導線（２００）が設けられて、カウンタ（２０１）が接続されたことを特徴とする、折り畳み式スライドボードエクササイズマシン。
【考案の詳細な説明】
【技術分野】
【０００１】
本考案は折り畳み式スライドボードエクササイズマシンに係り、特に、スライド式運動で腰、腹、臀部の鍛練が行え、異なる使用者及びレベルに応じて調整可能で、並びに折り畳んで収納体積を減らせるものに関する。
【背景技術】
【０００２】
アンバランスな食事及び運動できる場所と運動量の欠乏により、人々が健康をますます重視するようになり、エクササイズマシンが生まれた。しかし、一般に、現在、腰腹臀部の鍛練機能を同時に有する器具は極めて少なく、有ったとしても高額で、重量が大きく、体積が大きく場所をとり、さらに、使用者とレベルに応じて調整が行えず、このためさらに設計の研究及び改良の必要がある。
【考案の概要】
【考案が解決しようとする課題】
【０００３】
出願人は数十年にわたる運動器具の製作、設計の経験に加え、上記欠点に対して、改良の方法を探求し、並びに何度も試作を重ね、ついに本考案の折り畳み式スライドボードエクササイズマシンを創作した。
【０００４】
本発明の主要な目的は、一種の折り畳み式スライドボードエクササイズマシンを提供することにあり、それは、前後に円弧状を成すダブルレール式レールバーを具え、該レールバーにプーリを介して該レールバーに添ってスライド自在にマットフレームが設けられ、マットフレームの上部に球軸受を介して旋回可能なマットが設けられ、別にレールバーの上端に枢接シートを介して上端左右にアームレストが固定された前支持フレームが通され、前支持フレームの底端とレールバー上端の間が連接棒で接続され、レールバーの後端に固定された後支持フレームが組み合わされ、前が高く後ろが低い傾斜状に地面に支持され、前支持フレームの、旋回シートを突き抜けた長さを調整することで、前が高く後ろが低い異なる傾斜状に地面上に支持でき、使用者が両膝をマットについて、両肘をアームレストに載せ、さらに両膝及び腰腹でマットを押してマットフレームをレールバーに添って前後にスライドさせ、腰腹の屈伸にマットの左右旋回を組合せ、及び端縁のストッパで制限し、スライド式エクササイズを行え、異なる使用者と異なるレベルに応じた腰腹臀部鍛練を行えるものとする。
【０００５】
本発明のもう一つの目的は、一種の折り畳み式スライドボードエクササイズマシンを提供することにあり、それは、後支持フレームに旋回調整して固定できる支持足が設けられ、前支持フレームを折り畳んだ後に、直立させることができ、占有体積を縮減できる実用的創作であるものとする。
【課題を解決するための手段】
【０００６】
本考案の折り畳み式スライドボードエクササイズマシンは、前後に円弧状を成すダブルレール式レールバーを具え、該レールバーにプーリを介して該レールバーに添ってスライド自在にマットフレームが設けられ、マットフレームの上部に球軸受を介して旋回可能なマットが設けられ、別にレールバーの上端に枢接シートを介して上端左右にアームレストが固定された前支持フレームが通され、前支持フレームの底端とレールバー上端の間が連接棒で接続され、レールバーの後端に固定された後支持フレームとその上の旋回調整可能な支持足が組み合わされ、前が高く後ろが低い傾斜状或いは直立状に地面に支持され、前支持フレームの、旋回シートを突き抜けた長さを調整することで、前が高く後ろが低い異なる傾斜状に地面上に支持でき、使用者が両膝をマットについて、両肘をアームレストに載せ、さらに両膝及び腰腹でマットを押してマットフレームをレールバーに添って前後にスライドさせ、腰腹の屈伸とマットの左右旋回を組合せ、及び端縁のストッパで制限することで、スライド式エクササイズを行え、異なる使用者と異なるレベルに応じた腰腹臀部鍛練を行え、収納時には折り畳んで直立させて収納でき、収納体積を減らせる。
【考案の効果】
【０００７】
本考案の折り畳み式スライドボードエクササイズマシンは、スライド式エクササイズを行え、異なる使用者と異なるレベルに応じた腰腹臀部鍛練を行え、収納時には折り畳んで直立させて収納でき、収納体積を減らせる。
【図面の簡単な説明】
【０００８】
【図１】本考案の実施例の立体図である。
【図２】本考案の実施例の立体分解図である。
【図３】本考案の折り畳み実施例の立体図である。
【図４】本考案の使用実施例の立体図である。
【図５】本考案の別の使用実施例の立体図である。
【図６】本考案の別の実施例の立体図である。
【図７】本考案の別の折り畳み実施例の立体図である。
【考案を実施するための形態】
【０００９】
本考案の技術内容、構造特徴、達成する目的を詳細に説明するため、以下に実施例を挙げ並びに図面を組み合わせて説明する。
【００１０】
図示されるように、本発明は、前支持フレーム（１）、後支持フレーム（２）、ダブルレール式レールバー（３）、マットフレーム（４）及びマット（５）が組み合わされてなる。
【００１１】
そのうち、該ダブルレール式レールバー（３）は円弧状を成し、その上にプーリを介してスライド自在にマットフレーム（４）が組み合わされ、並びに調節つまみ（４０）でスライドの摩擦力の大きさが調整可能とされ、マットフレーム（４）の上部に球軸受（４１）を介して旋回可能なマット（５）が設けられている。別にダブルレール式レールバー（３）の上端に枢接シート（３０）を介して上端左右にアームレスト（１０）とグリップ（１２）が固定された前支持フレーム（１）が取付けられ、前支持フレーム（１）の底端とダブルレール式レールバー（３）上端の間が連接棒（１１）で連接され、ダブルレール式レールバー（３）の後端に固定された後支持フレーム（２）が組み合わされ、調整可能にボルト（１００）で前支持フレーム（１）が固定されて、前が高く後ろが低い異なる傾斜状に地面上に支持される。
【００１２】
また、後支持フレーム（２）に旋回調整して固定可能な支持足（２０）が設けられ、該支持足（２０）の数及び位置に制限はなく、前支持フレーム（１）が枢接シート（３０）により折り畳まれた後、支持足（２０）が展開されて全体のフレームを直立状に支持する。
【００１３】
また、前支持フレーム（１）の上端、連接棒（１１）及びダブルレール式レールバー（３）の上端間に、導線（２００）でカウンタ（２０１）とカウンタトリガー（２０２）が接続並びに組み合わされる。
【００１４】
実際の操作使用時には、使用者は前支持フレーム（１）の、枢接シート（３０）を突き抜ける長さを調整し、並びにボルト（１００）で固定し、後端の後支持フレーム（２）を組合せ、ダブルレール式レールバー（３）を前が高く後ろが低い異なる傾斜状に地面上に支持し、且つ調節つまみ（４０）を回してマットフレーム（４）とダブルレール式レールバー（３）間のスライドの摩擦力の大きさを調整でき、及び、ボルト（３００）を締めるか緩めてマットフレーム（４）とマット（５）間を固定或いは固定解除できる。
【００１５】
使用者は両膝をマット（５）上について、両肘をアームレスト（１０）に載せ、さらに両膝及び腰腹でマット（５）を押してマットフレーム（４）をダブルレール式レールバー（３）に添って前後にスライドさせ、腰腹の屈伸とマット（５）の左右回転を組合せ、さらに、端縁のストッパ（３０１）（３０２）で制限することで、スライド式エクササイズを行え、異なる使用者と異なるレベルに応じた腰腹臀部鍛練を行える。
【００１６】
また、前支持フレーム（１）上端、連接棒（１１）及びダブルレール式レールバー（３）上端間の導線（２００）が組み合わされ連結された後、マットフレーム（４）が前に移動してカウンタトリガー（２０２）に接触すると、カウンタ（２０１）がスライド回数を表示する。
【００１７】
また、前支持フレーム（１）を枢接シート（３０）により折り畳んだ後に、支持足（２０）を開いて固定し、後支持フレーム（２）とダブルレール式レールバー（３）後端を組み合わせて、全体を直立状態で起立させられ、占有体積を縮減できる。
本考案の構造及び装置は未だ市場及び刊行物に見られず、腰腹臀部の鍛練を行える機能のほか、異なる使用者及び異なるレベルに応じて使用でき、並びに収納時に体積を縮減できる効果を有し、機能上、明かに改善され、十分に実用新案登録の要件を有している。
【００１８】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１９】
１  前支持フレーム        ２  後支持フレーム    ３  ダブルレール式レールバー
４  マットフレーム        ５  マット            １０  アームレスト
１１  連接棒              １２  グリップ        ２０  支持足
３０  枢接シート          ４０  調節つまみ      ４１  球軸受
１００、３００  ボルト    ２００  導線          ２０１  カウンタ
２０２  カウンタトリガー  ３０１、３０２  ストッパ
【図１】
0003172691.tif 000003
【図２】
0003172691.tif 000004
【図３】
0003172691.tif 000005
【図４】
0003172691.tif 000006
【図５】
0003172691.tif 000007
【図６】
0003172691.tif 000008
【図７】
0003172691.tif 000009